(57)【要約】【課題】骨のずれの方向を容易にかつ正確に認識でき、施術ポイントを突くとき、方向にずれが生じることがい整体器具を提供する。【解決手段】突部材（４）の先端部分を施術ポイントに押し当て、この状態で本体部（２）に設けられている電動式の衝撃発生機構（６）を駆動すると突部材（４）に軸方向の衝撃力が発生し、骨格のずれを矯正する整体器具（１）とする。本体部（２）に、手のひらの母指球で押さえる押さえバー（７）と操作バー（８）とを設ける。押さえバー（７）に作用する力の重心と本体部（２）と突部材（４）とは同一軸上に配置されるようにする。突部材（４）は、本体部（２）に対して所定のバネ体（１７）を介して設ける。突部材（４）を施術ポイントに押し当てるとき、バネ体（１７）に抗して突部材（４）が後退することになる。【選択図】  図１
2020178929.tif 000002
【特許請求の範囲】
【請求項１】
本体部の先端に設けられている突部材を備え、該突部材の先端部分を施術ポイントに押し当て、この状態で前記本体部に設けられている電動式の衝撃発生機構を駆動すると前記突部材に軸方向の衝撃力が発生し、それによって前記施術ポイントを突いて骨格のずれを矯正する整体器具であって、
前記本体部の後端部には押さえバーが設けられ、前記整体器具の操作時に施術者の手のひらの母指球で押さえるとき、前記押さえバーに作用する力の重心と前記本体部と前記突部材とが同一軸上に配置されるようになっており、
前記突部材は、前記本体部に対して所定のバネ体を介して設けられ、前記突部材の先端部分を前記施術ポイントに押し当てるとき、押し当て力に応じて前記本体部に対する前記突部材の相対的な位置が変化するようになっていることを特徴とする整体器具。
【請求項２】
請求項１に記載の整体器具において、前記本体部には軸方向にスライドされる操作バーが設けられ、施術者の２本以上の指で前記操作バーを前記押さえバー方向にスライドさせると、前記衝撃発生機構を駆動するスイッチがＯＮされるようになっていることを特徴とする整体器具。
【発明の詳細な説明】
【技術分野】
【０００１】
本発明は、骨格のずれを矯正する整体用の器具に関するものであり、所定の突部材を備え、該突部材をずれが生じている所定の骨に押し当て、この状態で瞬間的な突き力を作用させて骨格のずれを矯正するようになっている整体器具に関するものである。
【背景技術】
【０００２】
関節によって接続されている複数の骨、すなわち骨格は、色々な要因でずれる。事故等で外部から衝撃を受けて突然ずれが生じる場合もあるし、生活習慣や職業上の必要から慢性的に同じ姿勢を取り続けて、徐々にずれが生じる場合もある。このような骨格のずれによって、色々な疾病が引き起こされる。特に頸椎のずれは、肩こり、めまい、頭痛等の原因となることが広く知られており、内臓の不調や免疫力の低下、視力の低下等を引き起こすという報告もある。
【０００３】
骨格のずれを矯正するには、ずれが発生している骨に対してずれが無くなる方向にスライドさせる必要がある。例えば、頸椎のずれを矯正する場合は、患者を診察台の上にうつぶせに寝かせる。そうすると頸椎周りの首の筋肉が弛緩する。ずれが生じている骨の特定部分、つまり施術ポイントに対して、ずれが無くなる方向に押す。あるいは施術ポイントを突く。そうすると頸椎のずれが矯正される。ところで骨を突くとき、施術者は自らの手を使って、その小指の付け根の骨を施術ポイントに当てておき瞬間的に押し込むようにすることもできる。しかしながら、このような施術方法は熟練を要する。施術ポイントは小さいので正確に施術ポイントを押すのは難しく、押し込む力つまり突き力の調整も難しいからである。小さな施術ポイントであっても正確に、かつ適切な力で施術ポイントを突くことができる整体器具が特許文献により色々提案されている。
【先行技術文献】
【特許文献】
【０００４】
【特許文献１】米国特許第４１１６２３５号明細書
【特許文献２】米国特許第４１１６２３５号明細書
【０００５】
特許文献１には、図３の（Ａ）に示されているように、調整された力で正確に施術ポイントを突くことができる整体器具５０が記載されている。整体器具５０は、軸方向に所定の長さに形成され、その後端部には施術者の手のひらによって押し当てるための押さえバー５１が、その先端部には突部材５２が、そして中央部には突部材５２を駆動するためのグリップ５３がそれぞれ設けられている。突部材５２の先端にはゴムヘッド５５が設けられ、施術ポイントに押し当てるようになっている。整体器具５０の内部には、図に示されていないが所定のバネを備えた打撃機構が設けられ、打撃機構はグリップ５３によって駆動されるようになっている。グリップ５３に人差し指と中指とを引っかけて握るようにし、グリップ５３を押さえバー５１方向にスライドさせる。グリップ５３をスライドさせるとき、最初はバネ付勢に抗してスライドさせる必要があり抵抗がある。しかしながら所定の距離だけスライドさせると、打撃機構が作動してバネに蓄積された弾性エネルギーが一気に解放される。これによって瞬間的に突部材５２に対して軸方向の力を作用させることができる。予め突部材５２を施術ポイントに押し当てておき、グリップ５３を操作すると施術ポイントを適切な力で突くことができる。
【０００６】
特許文献２には電動式で駆動される整体器具６０が記載されている。整体器具６０は、図３の（Ｂ）に示されているように、先端が所定の角度で曲がっており、中央部から後端部にかけてがハンドル部６１になっていて施術者がこの部分において整体器具６０を握ることができるようになっている。先端には施術ポイントを突くための突部材６３が設けられ、この突部材６３にもゴムヘッド６４が設けられている。整体器具６０には図には示されていないが、内部に突部材６３を軸方向に衝撃的に突き出すための衝撃発生機構が設けられ、ハンドル部６１内に設けられているバッテリーによって駆動されるようになっている。整体器具６０にはスイッチ６６が設けられ、突部材６３を施術ポイントに押し当てた状態でスイッチ６６を押下すると、突部材６３を介して施術ポイントに軸方向の力を作用させることができる。
【発明の概要】
【発明が解決しようとする課題】
【０００７】
特許文献１に記載の整体器具５０も、特許文献２に記載の整体器具６０も、いずれも突部材５２、６３を備え、この突部材５２、６３によって患者の施術ポイントを当接して瞬間的な軸力を施術ポイントに作用させることができるので、骨格のずれを適切に矯正することができ優れている。しかしながらこれらの整体器具５０、６０には解決すべき課題も見受けられる。具体的には、施術ポイントに軸力を作用させるとき、その軸力の方向が適切であるのか否かを施術者が判断しにくいという課題がある。また軸力の方向がずれるという課題もある。これを説明する。図４には、頸椎７０の一部にずれが生じ、本来は点線の位置にあるべき第５頸椎７１がずれている様子が示されている。この第５頸椎７１のずれを矯正するには、施術ポイント７２に対して方向７４の軸力を作用させるとよく、方向７５の軸力を作用させてもずれは矯正できないことがわかる。第５頸椎７１のずれの方向と軸力の方向が一致していないからである。しかしながら頸椎７０は筋肉、脂肪、皮膚等の組織で覆われているので、外部から見てもどの頸椎がどの方向にずれているのか正確に認識できない。整体師であれば、第５頸椎７１が正しい位置になく、わずかに飛び出ていることはわかる。しかしながらずれの方向を正確に認識するにはかなりの熟練を要する。熟練した整体師がずれの方向を調べるとき、突出した骨の部分、つまりこの例においては第５頸椎７１の符号７２の部分を指で色々な方向から押す。ずれの方向と一致していない方向から押すとき、例えば符号７５の方向から押すとき、第５頸椎７１は比較的小さな力でわずかに回転する。つまり骨が逃げてその位置が変化する。一方ずれの方向と一致する方向、つまり符号７４の方向から押すと、第５頸椎７１は回転しない。そうすると位置は変化しにくく、指に抵抗を感じる。熟練した整体師であれば、指に対する抵抗の大きさを頼りにずれの方向を正確に認識することができる。特許文献１に記載の整体器具５０では、押さえバー５１に手のひらを押しつけて、突部材５２を施術ポイント７２に押しつけることになる。突部材５１は整体器具５０の本体に固定的に設けられており、押さえバー５１からの押しつけ力がダイレクトに作用する。もし、色々な方向から施術ポイント７２を押して、抵抗の大きさの変化を感じ取ることができれば、第５頸椎７１のずれの方向を正確に判断できるはずである。しかしながら手のひらの感触は繊細でないし、手のひらによる力がダイレクトに突部材５１に伝えられるので、抵抗の大きさを感じ取りにくい。つまりずれの方向を正確に認識しずらい。他の問題もある。仮にずれの方向を正確に認識でき、整体器具５０を正しい方向にして施術する場合であっても、施術時にずれる可能性がある。突部材５２を駆動するときには、バネ力に抗して比較的大きな力でグリップ５３を操作しなければならないからである。大きな力で操作するので、整体器具５０の方向が操作前には正しい方向になっていても、操作時に力が入って方向がずれる場合があるからである。さらには、突部材５２は実質的に人力で駆動することになるので、長時間施術を実施すると疲労がたまる問題もある。特許文献２に記載の整体器具６０の場合には、電動式で突部材６３が駆動されるので施術者の疲労の問題はない。しかしながら、突部材６３を第５頸椎７１の施術ポイント７２に押しつけ、色々な方向から押して抵抗の大きさを調べるとき、ハンドル部６１を握って実施することになる。握った手によって抵抗の大きさを感じ取ることは困難であり、ずれの方向を判断しずらい。他の問題もある。特許文献２に記載の整体器具５０は、器具の軸方向に対して軸対称になっていない。そうすると、突部材６３を駆動するとき、突部材６３からの反動によって整体器具５０に回転力、つまりモーメントが作用して突部材６３の方向がずれ、正確な方向で第５頸椎７１を押すことができない場合がある。
【０００８】
本発明は、上記したような問題点あるいは課題を解決した、整体器具用を提供することを目的とし、具体的には、骨のずれの方向を容易にかつ正確に認識することができ、施術ポイントを所定の方向に突くとき、その方向にずれが生じることがなく、さらには施術者の疲労がたまらない、整体器具を提供することを目的としている。
【課題を解決するための手段】
【０００９】
本発明は、上記目的を達成するために、突部材を備えた整体器具として構成される。この整体器具は突部材の先端部分を施術ポイントに押し当て、この状態で本体部に設けられている電動式の衝撃発生機構を駆動すると突部材に軸方向の衝撃力が発生し、それによって施術ポイントを突いて骨格のずれを矯正するようになっている。そして本体部には、その後端部に、整体器具の操作時に施術者の手のひらの母指球で押さえる押さえバーが設けられ、押さえバーに作用する力の重心と本体部と突部材とが同一軸上に配置されるようになっている。本発明において突部材は、本体部に対して所定のバネ体を介して設け、突部材の先端部分を施術ポイントに押し当てるとき、押し当て力に応じて本体部に対する突部材の相対的な位置が変化するように構成する。
【００１０】
すなわち、請求項１に記載の発明は、上記目的を達成するために、本体部の先端に設けられている突部材を備え、該突部材の先端部分を施術ポイントに押し当て、この状態で前記本体部に設けられている電動式の衝撃発生機構を駆動すると前記突部材に軸方向の衝撃力が発生し、それによって前記施術ポイントを突いて骨格のずれを矯正する整体器具であって、前記本体部の後端部には押さえバーが設けられ、前記整体器具の操作時に施術者の手のひらの母指球で押さえるとき、前記押さえバーに作用する力の重心と前記本体部と前記突部材とが同一軸上に配置されるようになっており、前記突部材は、前記本体部に対して所定のバネ体を介して設けられ、前記突部材の先端部分を前記施術ポイントに押し当てるとき、押し当て力に応じて前記本体部に対する前記突部材の相対的な位置が変化するようになっていることを特徴とする整体器具として構成される。
請求項２に記載の発明は、請求項１に記載の整体器具において、前記本体部には軸方向にスライドされる操作バーが設けられ、施術者の２本以上の指で前記操作バーを前記押さえバー方向にスライドさせると、前記衝撃発生機構を駆動するスイッチがＯＮされるようになっていることを特徴とする整体器具として構成される。
【発明の効果】
【００１１】
以上のように、本発明によると、本体部の先端に設けられている突部材を備え、該突部材の先端部分を施術ポイントに押し当て、この状態で本体部に設けられている電動式の衝撃発生機構を駆動すると突部材に軸方向の衝撃力が発生し、それによって施術ポイントを突いて骨格のずれを矯正する整体器具を対象としている。電動式の衝撃発生機構によって突部材を駆動することができるので、施術者は疲労することなく施術することができる。そして本発明によると、本体部の後端部には押さえバーが設けられ、整体器具の操作時に施術者の手のひらの母指球で押さえるとき、押さえバーに作用する力の重心と本体部と突部材とが同一軸上に配置されるようになっている。従って、施術ポイントに突部材の先端部分を押し当てて、突部材を駆動したい方向に整体器具の向きを調整し、そして突部材を軸方向に駆動するとき、整体器具の向きが変化することが防止される。力の重心と本体部と突部材とが同一軸上に配置されているからである。これによって突部材で突く方向が安定する。さらに本発明によると、突部材は、本体部に対して所定のバネ体を介して設けられ、突部材の先端部分を施術ポイントに押し当てるとき、押し当て力に応じて本体部に対する突部材の相対的な位置が変化するように構成されている。バネ体の弾性力によって、押し当て力に応じて本体部に対する突部材の相対的な位置が変化するので、施術者は施術ポイントを押すときの抵抗を感じ取ることができる。そうすると、格別に熟練した整体師でなくても、骨のずれの方向を容易にかつ正確に認識することができる。他の発明によると、本体部には軸方向にスライドされる操作バーが設けられ、施術者の２本以上の指で操作バーを押さえバー方向にスライドさせると、衝撃発生機構を駆動するスイッチがＯＮされるようになっている。そうすると、２本以上の指で操作バーを操作するときの操作に必要な力の重心も、実質的に本体部と突部材とを結ぶ同一軸上に位置することになる。そうすると、操作時に整体器具の方向が変化することが防止される。さらには操作バーはスイッチをＯＮするためのものであるので、格別に力は不要であり、この点でも整体器具の方向が変化することが防止される。
【図面の簡単な説明】
【００１２】
【図１】本実施の形態に係る整体器具を示す正面断面図である。
【図２】本実施の形態に係る整体器具と、施術対象の骨格とを示す斜視図である。
【図３】その（Ａ）、（Ｂ）はそれぞれ従来の整体器具を示す斜視図である。
【図４】施術対象の骨格を示す断面図である。
【発明を実施するための形態】
【００１３】
以下、本発明の実施の形態を説明する。本実施の形態に係る整体器具１は、図１に示されているように、全体として軸方向に長い線対称に形成されている。整体器具１は、ずれが発生している骨を突いて骨格のゆがみを矯正するための器具であり、施術者が手でこれを持って使用するようになっている。本実施の形態に係る整体器具１は、軸方向に長い本体部２と、この本体部２の先端に設けられている突部材４と、本体部２内に設けられて突部材４を軸方向に突き出す衝撃発生機構６と、本体部２の後端に設けられている押さえバー７と、本体部２において軸方向にスライド可能に設けられている操作バー８とから概略構成されている。
【００１４】
突部材４は、その後端部が本体部２内に収納され、先端部分が本体部２から露出している。そして先端部分にはゴムヘッド１０が設けられ、ずれが発生している骨の所定の部分、すなわち施術ポイントに対して、このゴムヘッド１０を押し当てるようになっている。突部材４は後で説明する衝撃発生機構６に接続され、衝撃発生機構６によって軸方向に所定の突き力が発生して施術ポイントを突くことができるようになっている。
【００１５】
突部材４の後端部は前記したように本体部２内に収納されているが、本体部２に対して軸方向にわずかにスライドが許容された状態で収納されている。詳しく説明すると、本体部２の先端には突部材４を収納するための収納穴１１が空けられているが、収納穴１１は所定の位置から奥が拡径しており、それによって段部１２が形成されている。拡径した収納穴１１の奥には次に説明する衝撃発生機構６が設けられている。一方、突部材４の中央部分から後端にかけては所定の径の軸部からなるが、軸部の後端部において拡径したフランジ部１３が形成されている。そして突部材４の後端部には、所定の穴が形成され衝撃発生機構６の一部の部材が挿入され、スライド自在になっている。この衝撃発生機構６の一部の部材には段部１５が形成されており、突部材４のフランジ部１３と段部１５には所定の間隔が空けられている。突部材４のフランジ部１３は、段部１２と段部１５の間においてスライドされるようになっており、その分だけ突部材４がスライドが許容されることになる。衝撃発生機構６のこの一部の部材と突部材４との間にはバネ体１７が設けられ、突部材４はバネ体１７によって先端方向に付勢されている。このように、本実施の形態に係る整体器具１が、突部材４が軸方向へのスライドが許容されている状態で本体部２に収納されている点、およびバネ体１７によって突部材４が先端方向に付勢されている点に、本発明の特徴があり、これらによって突部材４を施術ポイントに当接させるとき、押し当て力の大きさを感じ取れるようになっている。
【００１６】
衝撃発生機構６は、図には示されていないが、外部からの電力供給を受けて駆動されるようになっている。本実施の形態において衝撃発生機構６は、励磁コイル１９と、この励磁コイル１９により発生する磁界によって軸方向にスライドされる可動鉄芯つまりプランジャ２０と、プランジャ２０がスライドされたときに衝撃的に着座するストッパ２１とから構成されている。このストッパ２１の先端の一部が前記したように突部材４の後端部に挿入され、そして突部材４のフランジ部１３が当接する段部１５が形成されている。突部材４をバネ体１７に抗して後退させ、そしてフランジ部１３が段部１５に当接した状態にし、励磁コイル１９を励磁させてプランジャ２０をストッパ２１に衝撃的に着座させると、突部材４に軸方向の突き力を作用させることができる。
【００１７】
押さえバー７は、本体部２の後端部に設けられており、施術者が整体器具１を持つとき、手のひらの母指球を当てる部材になっている。整体器具１を手で持って母指球を押さえバー７に当て、そして突部材４の先端部分つまりゴムヘッド１０を施術ポイントに押し当てるとき、押さえバー７には母指球からの押し力が作用する。この押し力の重心はちょうど整体器具１の軸と一致する。すなわち押し力の重心と本体部２と突部材４とは同一軸上に配置されるようになっている。同一軸上に力が作用するので、突部材４を施術ポイントに押し当てるとき、押し当て方向がずれないようになっている。
【００１８】
操作バー８は本体部２に対して左右対称になるように設けられ、軸方向にわずかにスライドされるようになっている。操作バー８には、人差し指と中指の２本の指、または人差し指と、中指と薬指の３本の指を引っかけてスライドさせるようになっており、わずかな力でスライドできるようになっている。本体部２にはスイッチ２３が設けられ、操作バー８をスライドするとこのスイッチ２３をＯＮ／ＯＦＦできる。スイッチ２３はＯＮすると衝撃発生機構６が駆動されるようになっている。
【００１９】
本実施の形態に係る整体器具１により、ゆがみが生じている骨格を矯正する方法を説明する。図２には、頸椎３０の一部が示されているが、第５頸椎３１が点線で示されている正しい位置からわずかにずれている様子が示されている。頸椎３０は皮膚、筋肉、脂肪によって隠れているので、外部からは第５頸椎３１がずれていることは容易にわかるが、ずれの方向についてはわからない。この患者をベッドにうつ伏せに寝かせる。そうすると頸椎３０を覆っている首回りの筋肉が弛緩する。図２に示されているように整体器具１を手に持つ。すなわち手のひらの母指球を押さえバー７に当てるようにし、そして人差し指と中指と薬指とを操作バー８に引っかけるようにして整体器具１を持つ。突部材４の先端部分つまりゴムヘッド１０を皮膚から押さえて第５頸椎３１の突き出した部分、つまり施術ポイント３３に当接させる。当接させた状態で母指球に力を加えて突部材４を押す。そうすると突部材４はバネ体１７に抗して本体部２内に後退する。この後退するときに第５頸椎３１から受ける抵抗力を感じ取る。整体器具１を符号３５で示されているように色々な方向にして、同様の操作をする。すなわち突部材４を施術ポイント３３に押し当て、バネ体１７に抗して突部材４が後退するときの第５頸椎３１からの抵抗力を感じ取る。第５頸椎３１のずれの方向と突部材４の押し当て方向とがずれているとき、第５頸椎３１はわずかに回転するので抵抗力は小さい。しかしながら第５頸椎３１のずれの方向と突部材４の押し当て方向とが一致しているとき、抵抗力は大きい。抵抗力の大きさを感じ取ることによって第５頸椎３１のずれの方向を認識することができる。第５頸椎３１のずれの方向と、整体器具１の軸とを一致させ、整体器具１を軸方向に押し込む。そうすると突部材４が本体部２内に後退し、突部材４のフランジ部１３が衝撃発生機構６のストッパ２１の段部１５に着座する。操作バー８をスライドさせてスイッチ２３をＯＮする。そうすると衝撃発生機構６が駆動されて突部材４に軸方向の突き力が作用し、施術ポイント３３を衝撃的に突くことができる。なお、スイッチ２３をＯＮするとき、衝撃発生機構６は１回だけ作動して突部材４が１回だけ軸方向に駆動されるようにしてもよいし、連続的に作動して突部材４が連続的に駆動されるようにしてもよい。第５頸椎３１は突部材４によって突かれて、頸椎３０のずれが矯正される。
【符号の説明】
【００２０】
１    整体器具                    ２    本体部
４    突部材                      ６    衝撃発生機構
７    押さえバー                  ８    操作バー
１０    ゴムヘッド                １７    バネ体
２３    スイッチ
【図１】
2020178929.tif 000003
【図２】
2020178929.tif 000004
【図３】
2020178929.tif 000005
【図４】
2020178929.tif 000006
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
本体部の先端に設けられている突部材を備え、該突部材の先端部分を施術ポイントに押し当て、この状態で前記本体部に設けられている電動式の衝撃発生機構を駆動すると前記突部材に軸方向の衝撃力が発生し、それによって前記施術ポイントを突いて骨格のずれを矯正する整体器具であって、
前記本体部の後端部には押さえバーが設けられ、前記整体器具の操作時に施術者の手のひらの母指球で押さえるとき、前記押さえバーに作用する力の重心と前記本体部と前記突部材とが同一軸上に配置されるようになっており、
前記突部材は、前記本体部に対して所定のバネ体を介して設けられ、前記突部材の先端部分を前記施術ポイントに押し当てるとき、押し当て力に応じて前記本体部に対する前記突部材の相対的な位置が変化するようになっており、
前記本体部に対して左右対称にかつ軸方向にスライド可能に設けられている操作バーを、２本以上の指で引っかけて前記押さえバー方向にスライドさせると、前記衝撃発生機構を駆動するスイッチがＯＮされて、前記突部材が前記施術ポイントを連続的に突くようになっていることを特徴とする整体器具。  
【手続補正２】
【補正対象書類名】明細書
【補正対象項目名】０００９
【補正方法】変更
【補正の内容】
【０００９】
本発明は、上記目的を達成するために、突部材を備えた整体器具として構成される。この整体器具は突部材の先端部分を施術ポイントに押し当て、この状態で本体部に設けられている電動式の衝撃発生機構を駆動すると突部材に軸方向の衝撃力が発生し、それによって施術ポイントを突いて骨格のずれを矯正するようになっている。そして本体部には、その後端部に、整体器具の操作時に施術者の手のひらの母指球で押さえる押さえバーが設けられ、押さえバーに作用する力の重心と本体部と突部材とが同一軸上に配置されるようになっている。本発明において突部材は、本体部に対して所定のバネ体を介して設け、突部材の先端部分を施術ポイントに押し当てるとき、押し当て力に応じて本体部に対する突部材の相対的な位置が変化するように構成する。そして本体部に対して左右対称にかつ軸方向にスライド可能に操作バーを設け、操作バーを２本以上の指で引っかけて押さえバー方向にスライドさせると、衝撃発生機構を駆動するスイッチがＯＮされて、突部材が前記施術ポイントを連続的に突くように構成する。
【手続補正３】
【補正対象書類名】明細書
【補正対象項目名】００１０
【補正方法】変更
【補正の内容】
【００１０】
すなわち、請求項１に記載の発明は、上記目的を達成するために、本体部の先端に設けられている突部材を備え、該突部材の先端部分を施術ポイントに押し当て、この状態で前記本体部に設けられている電動式の衝撃発生機構を駆動すると前記突部材に軸方向の衝撃力が発生し、それによって前記施術ポイントを突いて骨格のずれを矯正する整体器具であって、前記本体部の後端部には押さえバーが設けられ、前記整体器具の操作時に施術者の手のひらの母指球で押さえるとき、前記押さえバーに作用する力の重心と前記本体部と前記突部材とが同一軸上に配置されるようになっており、前記突部材は、前記本体部に対して所定のバネ体を介して設けられ、前記突部材の先端部分を前記施術ポイントに押し当てるとき、押し当て力に応じて前記本体部に対する前記突部材の相対的な位置が変化するようになっており、前記本体部に対して左右対称にかつ軸方向にスライド可能に設けられている操作バーを、２本以上の指で引っかけて前記押さえバー方向にスライドさせると、前記衝撃発生機構を駆動するスイッチがＯＮされて、前記突部材が前記施術ポイントを連続的に突くようになっていることを特徴とする整体器具として構成される。
【手続補正４】
【補正対象書類名】明細書
【補正対象項目名】００１１
【補正方法】変更
【補正の内容】
【００１１】
以上のように、本発明によると、本体部の先端に設けられている突部材を備え、該突部材の先端部分を施術ポイントに押し当て、この状態で本体部に設けられている電動式の衝撃発生機構を駆動すると突部材に軸方向の衝撃力が発生し、それによって施術ポイントを突いて骨格のずれを矯正する整体器具を対象としている。電動式の衝撃発生機構によって突部材を駆動することができるので、施術者は疲労することなく施術することができる。そして本発明によると、本体部の後端部には押さえバーが設けられ、整体器具の操作時に施術者の手のひらの母指球で押さえるとき、押さえバーに作用する力の重心と本体部と突部材とが同一軸上に配置されるようになっている。従って、施術ポイントに突部材の先端部分を押し当てて、突部材を駆動したい方向に整体器具の向きを調整し、そして突部材を軸方向に駆動するとき、整体器具の向きが変化することが防止される。力の重心と本体部と突部材とが同一軸上に配置されているからである。これによって突部材で突く方向が安定する。さらに本発明によると、突部材は、本体部に対して所定のバネ体を介して設けられ、突部材の先端部分を施術ポイントに押し当てるとき、押し当て力に応じて本体部に対する突部材の相対的な位置が変化するように構成されている。バネ体の弾性力によって、押し当て力に応じて本体部に対する突部材の相対的な位置が変化するので、施術者は施術ポイントを押すときの抵抗を感じ取ることができる。そうすると、格別に熟練した整体師でなくても、骨のずれの方向を容易にかつ正確に認識することができる。さらに本発明によると、本体部に対して左右対称にかつ軸方向にスライド可能に設けられている操作バーを、２本以上の指で引っかけて押さえバー方向にスライドさせると、衝撃発生機構を駆動するスイッチがＯＮされて、突部材が施術ポイントを連続的に突くようになっている。そうすると、２本以上の指で操作バーを操作するときの操作に必要な力の重心も、実質的に本体部と突部材とを結ぶ同一軸上に位置することになる。そうすると、操作時に整体器具の方向が変化することが防止される。さらには操作バーはスイッチをＯＮするためのものであるので、格別に力は不要であり、この点でも整体器具の方向が変化することが防止される。